(57)【要約】  【課題】  画像表示装置の焼付きを防止するために、従来の方法では、表示する画像の表示位置を１ドット単位で移動させている。この方法では、画像の表示位置を移動させる際に、画像の移動が見た目にわかってしまう。  【解決手段】  画像を見かけ上移動させる距離を設定する移動量設定部１１と、画像を見かけ上移動させる距離を移動させるための時間を設定する移動時間設定部１２と、移動量設定部１１に設定されている移動量と移動時間設定部１２に設定されている移動時間に応じて、画像を見かけ上サブピクセル単位で移動させるように画像データを生成する画像データ生成部１６とを備えた、表示装置の焼付防止装置。【選択図】  図１
2005107132.tif 000002
【特許請求の範囲】
【請求項１】
画像を見かけ上移動させる距離を設定する移動量設定部と、
前記画像を見かけ上移動させる距離を移動させるための時間を設定する移動時間設定部と、
前記移動量設定部に設定されている移動量と前記移動時間設定部に設定されている移動時間に応じて、前記画像を見かけ上サブピクセル単位で移動させるように画像データを生成する画像データ生成部とを備えた、表示装置の焼付防止装置。
【請求項２】
前記画像は、複数回移動して元の位置に戻る、請求項１に記載の表示装置の焼付防止装置。
【請求項３】
前記画像は、請求項２に記載の前記複数回の移動を繰り返す、請求項１に記載の表示装置の焼付防止装置。
【請求項４】
前記画像データ生成部は、注目画素に対応する所定エリア内にある複数の画素の輝度から、補間演算により、前記注目画素の輝度を算出する、請求項１乃至３のいずれかに記載の表示装置の焼付防止装置。
【発明の詳細な説明】
【技術分野】
【０００１】
本発明は、表示装置の焼付防止装置に関する。例えば、データ表示やテレビ受信機の映像表示等に使用される、プラズマディスプレイ、ＥＬディスプレイ、液晶ディスプレイのようなドット表示が行われる表示物質の焼付きを防止する、表示装置の焼付防止装置に関する。
【背景技術】
【０００２】
プラズマディスプレイ、ＣＲＴ、ＥＬディスプレイのような表示装置は、定点でドット表示が行われている。その表示のために用いる電子、光は、これらが照射される表示位置の物質を変成させる。また、液晶ディスプレイも、定点でドット表示が行われている。その表示のために用いる電圧は、表示位置の物質を変成させる。
【０００３】
このような表示装置は、静止画像あるいは静止部分が存在する動画像を長時間表示することにより、その画面にいわゆる焼付きが生じる。このような焼付きを防止するために、例えば、スクリーンセーバーなどが提案され、知られている。
【０００４】
静止画像を長時間表示する場合の焼付防止装置として、画面を暗くさせたり、他の代替画像を表示させる装置が一般的に知られている。このような一般的に知られている装置によれば、画像の内容が変わってしまうという問題がある。そして、見かけ上は静止画像であるが、その空間的位置を変更することにより、この問題を回避して焼付きを防止する装置が、数多く知られている（例えば、特許文献１〜４参照）。
【０００５】
また、見た感じで気にならない程度のドット数単位で静止画像を変換し、見た感じでは静止画像に見えるが、現実には画像位置を移動させて表示させるという、画像表示装置の焼付きを防止する装置も知られている（例えば、特許文献５参照）。
【特許文献１】特公昭６２−５０００５０号公報
【特許文献２】特開平２−２８５３９０号公報
【特許文献３】特開平１０−１１０２８号公報
【特許文献４】特開平３−２３１７９６号公報
【特許文献５】特開２０００−２２７７７５号公報
【発明の開示】
【発明が解決しようとする課題】
【０００６】
しかしながら、従来のいずれの焼き付き防止装置においても、空間的位置の変更の最小単位は１ドット（１ピクセル）である。空間的位置の移動量がその最小単位である１ドットの場合でも、実際には、その空間的位置が変更される瞬間に動くのが見た目に気づいてしまうという問題がある。表示装置の表示画素密度が低いほど、この問題は顕著に現れる。
【０００７】
同じ静止画像あるいは動画像中の静止部分を長時間表示しても、画像の内容を変えることなく、さらには空間的位置の変更に気づくことなく、焼付き程度が確実により均一化されることが望まれる。
【０００８】
本発明は、上記従来の課題を鑑み、同じ静止画像あるいは動画像中の静止部分を長時間表示しても、画像の内容を変えることなく、かつ、空間的位置の変更に気づくことなく、防止程度がより均一化される、表示装置の焼付防止装置の提供を目的とするものである。
【課題を解決するための手段】
【０００９】
上述した課題を解決するために、第１の本発明は、
画像を見かけ上移動させる距離を設定する移動量設定部と、
前記画像を見かけ上移動させる距離を移動させるための時間を設定する移動時間設定部と、
前記移動量設定部に設定されている移動量と前記移動時間設定部に設定されている移動時間に応じて、前記画像を見かけ上サブピクセル単位で移動させるように画像データを生成する画像データ生成部とを備えた、表示装置の焼付防止装置である。
【００１０】
第２の本発明は、
前記画像は、複数回移動して元の位置に戻る、第１の本発明の表示装置の焼付防止装置である。
【００１１】
第３の本発明は、
前記画像は、第２の本発明の前記複数回の移動を繰り返す、第１の本発明の表示装置の焼付防止装置である。
【００１２】
第４の本発明は、
前記画像データ生成部は、注目画素に対応する所定エリア内にある複数の画素の輝度から、補間演算により、前記注目画素の輝度を算出する、第１乃至第３のいずれかの本発明の表示装置の焼付防止装置である。
【発明の効果】
【００１３】
本発明により、同じ静止画像あるいは動画像中の静止部分を長時間表示しても、画像の内容を変えることなく、かつ、空間的位置の変更に気づくことなく、防止程度がより均一化される、表示装置の焼付防止装置を提供できる。
【発明を実施するための最良の形態】
【００１４】
以下、本発明の実施の形態について、図を用いて説明する。
【００１５】
（実施の形態１）
図１は、本発明の実施の形態１の表示装置の焼付防止装置の構成を示すブロック図である。
【００１６】
１１は、表示させる画像の位置を、水平方向および垂直方向にそれぞれ何ピクセル移動させるかを設定する移動量設定部である。１２は、移動量設定部１１で設定された移動量を移動させるために要する移動時間を設定する移動時間設定部である。１３は映像入力信号であり、１４は、映像入力信号１３から同期信号を取り出す同期信号分離部である。１５は、同期信号から時間を計測するタイマー部である。
【００１７】
画像データ生成部１６は、移動量設定部１１で設定された移動量と、移動時間設定部１２で設定された移動時間と、タイマー部１５で計測された時間に基づいて、映像入力信号１３を表示画素の無い座標位置（サブピクセル座標位置）に移動したように表示させる場合の周辺の実在する格子点上の表示画素のピクセル値を算出する。１７は、画像データ生成部１６から出力される映像出力信号である。そして、映像出力信号１７は、プラズマディスプレイ等の表示装置に接続されてその表示画面に表示される。
【００１８】
なお、ここでサブピクセル単位とは、実在する表示画素の最小単位である１ピクセルよりも小さい仮想の画素の単位を言う。
【００１９】
次に、本実施の形態１の焼付防止装置の動作について説明する。本実施の形態１の焼付防止装置は、表示画像を水平方向に移動させて表示させるものである。
【００２０】
１フレームの表示時間が１６ミリ秒の映像入力信号１３に対し、１６秒間で水平方向に１０ピクセル移動させ、垂直方向には移動させない場合の動作について説明する。表示させる画像を、水平方向の１０ピクセル間を左右に交互に移動させる動作を繰り返す。
【００２１】
まず、移動量設定部１１に、水平方向移動量として１０ピクセル、垂直方向移動量として０ピクセルを設定する。そして、移動時間設定部１２に、移動時間として１６秒を設定する。１フレームあたり１６ミリ秒なので、水平方向に１０ピクセル移動する間に、１０００フレーム（＝１６秒÷１６ミリ秒）の表示を要する。
【００２２】
タイマー部１５は、映像入力信号１３から垂直同期信号を計測して移動開始からのフレーム数をカウントする。移動開始からのフレーム数の初期値は０であり、表示する座標の移動開始位置に戻ってきた際に、初期値の０に戻す。つまり、移動開始から２０ピクセル（１０ピクセル×２）を移動した後に元の座標位置に戻るので、移動開始からのフレーム数が２０００フレーム（＝１０００フレーム×２）になれば初期値の０に戻す。
【００２３】
図２は、画像データ生成部１６の動作を説明する図である。
【００２４】
水平方向の座標をＸ、垂直方向の座標をＹとする。黒丸は移動前（時刻ｔ＝ｔ0）のピクセル、白丸は移動後Δｔ秒（＝１６ミリ秒×フレーム数）後のピクセルを示している。黒丸は、実在する表示画素の位置であり、図２に示す白丸の位置は、表示画素の存在しない位置である。
【００２５】
ΔｘはΔｔ秒間の移動量で、次の(1)式で求められる。
【００２６】
Δｘ＝１０ピクセル×（Δｔ秒/１６秒）    …(1)
Δｘが整数でない場合、白丸は黒丸間の、表示画素の無い仮想位置に存在することになる。実在する表示画素（黒丸の位置）のピクセル値は、白丸の仮想位置に表示すべきピクセル値から補間して求める。
【００２７】
例えば、移動５フレーム後（時刻t0+Δt）の座標（x,y）のピクセル値P(x, y, t0+Δt)は、(2)式のように表される。
【００２８】
P(x, y, t0+Δt)＝（1−Δx）×P(x+Δx, y, t0+Δt)
+Δx×P(x-1+Δx, y, t0+Δt)     …(2)
ここで、P(x+Δx, y, t0+Δt)は、時刻t0+Δtでの座標（x+Δx, y）のピクセル値である。また、P(x-1+Δx, y, t0+Δt)は、時刻t0+Δtでの座標（x-1+Δx, y）のピクセル値である。P(x, y, t0)は、時刻t0での座標（x, y）のピクセル値である。P(x-1, y, t0)は、時刻t0での座標（x-1, y）のピクセル値である。
【００２９】
また、時刻t0+Δtにおける白丸の位置のピクセル値は、時刻t0における黒丸の位置のピクセル値に等しい。従って、時刻t0での座標（x, y）のピクセル値はP(x, y, t0)、時刻t0での座標（x-1, y）のピクセル値はP(x-1, y, t0)なので、(3)式および(4)式の関係が得られる。
【００３０】
P(x+Δx, y, t0+Δt)＝P(x, y, t0)               …(3)
P(x-1+Δx, y, t0+Δt)＝P(x-1, y, t0)           …(4)
(3)式および(4)式を(2)式に代入することにより、(5)式の関係が得られる。
【００３１】
P(x, y, t0+Δt)＝（1−Δx）×P(x, y, t0)
+Δx×P(x-1, y, t0)         …(5)
また、(1)式より、Δｔの値から、Δｘの値が求められる。
【００３２】
Δｔ＝１６ミリ秒×５＝８０ミリ秒                         …(6)
Δｘ＝１０ピクセル×（８０ミリ秒/１６秒）＝0.05ピクセル  …(7)
従って、(7)式で得られたΔｘの値を(5)式に代入することにより、t0+Δt秒後の座標（x,y）のピクセル値P(x, y, t0+Δt)を求めることができる。同様にして、座標（x,y）以外の実在座標のピクセル値も求めることができる。
【００３３】
以上のようにして、画像データ生成部１６は、実在する表示画素のピクセル値を算出する。
【００３４】
（実施の形態２）
次に、本発明の実施の形態２の表示装置の焼付防止装置の動作について説明する。
【００３５】
本実施の形態２の焼付防止装置の構成は、実施の形態１の焼付防止装置の構成と同じであり、ブロック図は図１に示す通りである。実施の形態１の焼付防止装置とは、実在する表示画素のピクセル値を算出する画像データ生成部１６の処理内容が異なる。
【００３６】
本実施の形態２の焼付防止装置は、表示画像を垂直方向に移動させて表示させるものである。
【００３７】
１フレームの表示時間が１６ミリ秒の映像入力信号１３に対し、８秒間で垂直方向に５ピクセル移動させ、水平方向には移動させない場合の動作について説明する。表示させる画像を、垂直方向の５ピクセル間を上下に交互に移動させる動作を繰り返す。
【００３８】
まず、移動量設定部１１に、水平方向移動量として０ピクセル、垂直方向移動量として５ピクセルを設定する。そして、移動時間設定部１２に、移動時間として８秒を設定する。１フレームあたり１６ミリ秒なので、垂直方向に５ピクセル移動する間に、５００フレーム（＝８秒÷１６ミリ秒）の表示を要する。
【００３９】
タイマー部１５は、映像入力信号１３から垂直同期信号を計測して移動開始からのフレーム数をカウントする。移動開始からのフレーム数の初期値は０であり、表示する座標の移動開始位置に戻ってきた際に、初期値の０に戻す。つまり、移動開始から１０ピクセル（５ピクセル×２）を移動した後に元の座標位置に戻るので、移動開始からのフレーム数が１０００フレーム（＝５００フレーム×２）になれば初期値の０に戻す。
【００４０】
図３は、本実施の形態２の画像データ生成部１６の動作を説明する図である。
【００４１】
水平方向の座標をＸ、垂直方向の座標をＹとする。黒丸は移動前（時刻ｔ＝ｔ0）のピクセル、白丸は移動後Δｔ秒（＝１６ミリ秒×フレーム数）後のピクセルを示している。黒丸は、実在する表示画素の位置であり、図３に示す白丸の位置は、表示画素の存在しない位置である。
【００４２】
ΔｙはΔｔ秒間の移動量で、次の(8)式で求められる。
【００４３】
Δｙ＝５ピクセル×（Δｔ秒/８秒）    …(8)
Δｙが整数でない場合、白丸は黒丸間の、表示画素の無い仮想位置に存在することになる。実在する表示画素（黒丸の位置）のピクセル値は、白丸の仮想位置に表示すべきピクセル値から補間して求める。
【００４４】
例えば、移動５フレーム後（時刻t0+Δt）の座標（x,y）のピクセル値P(x, y, t0+Δt)は、(9)式のように表される。
【００４５】
P(x, y, t0+Δt)＝（1−Δy）×P(x, y+Δy, t0+Δt)
+Δy×P(x, y-1+Δy, t0+Δt)     …(9)
ここで、P(x, y+Δy, t0+Δt)は、時刻t0+Δtでの座標（x, y+Δy）のピクセル値である。また、P(x, y-1+Δy, t0+Δt)は、時刻t0+Δtでの座標（x, y-1+Δy）のピクセル値である。
【００４６】
また、時刻t0+Δtにおける白丸の位置のピクセル値は、時刻t0における黒丸の位置のピクセル値に等しい。従って、時刻t0での座標（x, y）のピクセル値はP(x, y, t0)、時刻t0での座標（x, y-1）のピクセル値はP(x, y-1, t0)なので、(10)式および(11)式の関係が得られる。
【００４７】
P(x, y+Δy, t0+Δt)＝P(x, y, t0)             …(10)
P(x, y-1+Δy, t0+Δt)＝P(x, y-1, t0)         …(11)
(10)式および(11)式を(9)式に代入することにより、(12)式の関係が得られる。
【００４８】
P(x, y, t0+Δt)＝（1−Δy）×P(x, y, t0)
+Δy×P(x, y-1, t0)         …(12)
また、(8)式より、Δｔの値から、Δｙの値が求められる。
【００４９】
Δｔ＝１６ミリ秒×５＝８０ミリ秒                       …(13)
Δｙ＝５ピクセル×（８０ミリ秒/８秒）＝0.05ピクセル    …(14)
従って、(14)式で得られたΔｙの値を(12)式に代入することにより、t0+Δt秒後の座標（x,y）のピクセル値P(x, y, t0+Δt)を求めることができる。同様にして、座標（x,y）以外の実在座標のピクセル値も求めることができる。
【００５０】
以上のようにして、画像データ生成部１６は、実在する表示画素のピクセル値を算出する。
【００５１】
（実施の形態３）
次に、本発明の実施の形態３の表示装置の焼付防止装置の動作について説明する。
【００５２】
本実施の形態３の焼付防止装置の構成は、実施の形態１の焼付防止装置の構成と同じであり、ブロック図は図１に示す通りである。実施の形態１の焼付防止装置とは、実在する表示画素のピクセル値を算出する画像データ生成部１６の処理内容が異なる。
【００５３】
本実施の形態３の焼付防止装置は、表示画像を斜めの方向に直線移動させて表示させるものである。
【００５４】
１フレームの表示時間が１６ミリ秒の映像入力信号１３に対し、１６秒間で、水平方向に１０ピクセル、垂直方向に５ピクセル移動させる場合の動作について説明する。水平方向１０ピクセル、垂直方向５ピクセルの範囲で、表示させる画像を、ひし形を描くように移動させる動作を繰り返す。
【００５５】
まず、移動量設定部１１に、水平方向移動量として１０ピクセル、垂直方向移動量として５ピクセルを設定する。そして、移動時間設定部１２に、移動時間として１６秒を設定する。１フレームあたり１６ミリ秒なので、水平方向に１０ピクセル移動するとともに垂直方向に５ピクセル移動する間に、１０００フレーム（＝１６秒÷１６ミリ秒）の表示を要する。
【００５６】
タイマー部１５は、映像入力信号１３から垂直同期信号を計測して移動開始からのフレーム数をカウントする。移動開始からのフレーム数の初期値は０であり、表示する座標の移動開始位置に戻ってきた際に、初期値の０に戻す。つまり、移動開始から水平方向に２０ピクセル（１０ピクセル×２）移動するとともに垂直方向に１０ピクセル（５ピクセル×２）移動した後に元の座標位置に戻るので、移動開始からのフレーム数が２０００フレーム（＝１０００フレーム×２）になれば初期値の０に戻す。
【００５７】
図４は、本実施の形態３の画像データ生成部１６の動作を説明する図である。
【００５８】
水平方向の座標をＸ、垂直方向の座標をＹとする。黒丸は移動前（時刻ｔ＝ｔ0）のピクセル、白丸は移動後Δｔ秒（＝１６ミリ秒×フレーム数）後のピクセルを示している。黒丸は、実在する表示画素の位置であり、図４に示す白丸の位置は、表示画素の存在しない位置である。
【００５９】
ΔｘとΔｙはΔｔ秒間の移動量で、次の(15)式、(16)式で求められる。
【００６０】
Δｘ＝１０ピクセル×（Δｔ秒/１６秒）    …(15)
Δｙ＝５ピクセル×（Δｔ秒/１６秒）      …(16)
ΔｘあるいはΔｙが整数でない場合、白丸は黒丸間の、表示画素の無い仮想位置に存在することになる。実在する表示画素（黒丸の位置）のピクセル値は、白丸の仮想位置に表示すべきピクセル値から補間して求める。
【００６１】
例えば、移動５フレーム後（時刻t0+Δt）の座標（x,y）のピクセル値P(x, y, t0+Δt)は、(17)式のように表される。
【００６２】
P(x, y, t0+Δt)＝
（1−Δx）×（1−Δｙ）×P(x+Δx, y+Δｙ, t0+Δt)
+Δx×（1−Δｙ）×P(x-1+Δx, y+Δｙ, t0+Δt) 
+（1−Δx）×Δｙ×P(x+Δx, y-1+Δｙ, t0+Δt)
+Δx×Δｙ×P(x-1+Δx, y-1+Δｙ, t0+Δt)           … (17)
ここで、P(x+Δx, y+Δｙ, t0+Δt)は、時刻t0+Δtでの座標（x+Δx, y+Δｙ）のピクセル値である。また、P(x-1+Δx, y+Δｙ, t0+Δt)は、時刻t0+Δtでの座標（x-1+Δx, y+Δｙ）のピクセル値である。P(x+Δx, y-1+Δｙ, t0+Δt)は、時刻t0+Δtでの座標（x+Δx, y-1+Δｙ）のピクセル値である。P(x-1+Δx, y-1+Δｙ, t0+Δt)は、時刻t0+Δtでの座標（x-1+Δx, y-1+Δｙ）のピクセル値である。
【００６３】
また、時刻t0+Δtにおける白丸の位置のピクセル値は、時刻t0における黒丸の位置のピクセル値に等しい。従って、時刻t0での座標（x, y）のピクセル値はP(x, y, t0)、時刻t0での座標（x-1, y）のピクセル値はP(x-1, y, t0)、時刻t0での座標（x, y-1）のピクセル値はP(x, y-1, t0)、時刻t0での座標（x-1, y-1）のピクセル値はP(x-1, y-1, t0)なので、(18)式〜(21)式の関係が得られる。
【００６４】
P(x+Δx, y+Δｙ, t0+Δt)＝P(x, y, t0)           … (18)
P(x-1+Δx, y+Δｙ, t0+Δt)＝P(x-1, y, t0)       … (19)
P(x+Δx, y-1+Δｙ, t0+Δt)＝P(x, y-1, t0)       … (20)
P(x-1+Δx, y-1+Δｙ, t0+Δt)＝P(x-1, y-1, t0)   … (21)
(18)式〜(21)式を(17)式に代入することにより、(22)式の関係が得られる。
【００６５】
P(x, y, t0+Δt)＝
＝（1−Δx）×（1−Δｙ）×P(x, y, t0)
+Δx×（1−Δｙ）×P(x-1, y, t0) 
+（1−Δx）×Δｙ×P(x, y-1, t0)
+Δx×Δｙ×P(x-1, y-1, t0)             … (22)
また、(15)式および(16)式より、Δｔの値から、ΔｘおよびΔｙの値が求められる。
【００６６】
Δｔ＝１６ミリ秒×５＝８０ミリ秒                         …(23)
Δｘ＝１０ピクセル×（８０ミリ秒/１６秒）＝0.05ピクセル  …(24)
Δｙ＝５ピクセル×（８０ミリ秒/１６秒）＝0.025ピクセル   …(25)
従って、(24)式および(25)式で得られたΔｘおよびΔｙの値を(22)式に代入することにより、t0+Δt秒後の座標（x,y）のピクセル値P(x, y, t0+Δt)を求めることができる。同様にして、座標（x,y）以外の実在座標のピクセル値も求めることができる。
【００６７】
以上のようにして、画像データ生成部１６は、実在する表示画素のピクセル値を算出する。
【００６８】
本実施の形態３では、Ｘ方向とともにＹ方向にも移動させて表示画像の位置を斜め方向に移動させることとしたが、Ｘ方向にサブピクセルだけ移動し、または、Ｙ方向にサブピクセルだけ移動することも好ましい。図５に、その場合の、表示画像の座標位置の移動例を示す。
【００６９】
図５は、移動範囲を、Ｘ方向に５ピクセル、Ｙ方向に６ピクセルの３０ピクセルを含む領域で、同じ表示画像の表示位置がその座標系Ｘ−Ｙ上で移動するように設定している。そして、表示画像の表示位置は、この領域内を、Ｘ方向のみ、またはＹ方向のみにサブピクセルだけ移動していく。
【００７０】
例えば、図５に示す座標系Ｘ−Ｙ上で、表示画像の表示位置の座標は、黒丸で示した開始位置の座標（1，1）から白丸で示した最終位置の座標（1，6）まで、（1，1）、（1.1，1）、（1.2，１）、（1.3，１）、・・・、（1.5，1）、・・・、（2，1）、・・・、（5，1）、（5，1.1）、（5，1.2）、・・・、（5，1.5）・・・、（5，2）、（4.9，2）、（4.8，2）、・・・、（4.5，2）・・・、（4，2）・・・、（1，2）、・・・、（1，2.5）、・・・、（2，3）・・・、（1，6）のように移動する。その後、今度は逆に、白丸で示す位置から黒丸で示す位置まで移動し、その移動動作を繰り返す。
【００７１】
ここで、サブピクセルの移動ステップ量を0.1ピクセル刻みとしたが、もっと小さなステップでもよいし、もっと大きなステップであってもよい。また、Ｘ方向に移動する場合とＹ方向に移動する場合で、サブピクセルの移動ステップ量を変えてもよい。また、白丸の位置まで達した後は、黒丸の位置に向かって逆に移動することとしたが、白丸の位置まで達した後に、再度、白丸の位置から黒丸の位置に移動するという動作を繰り返すようにしてもよい。
【００７２】
そして、表示画像の表示位置の座標の移動は、同じ位置を通ることなく、一筆書きのように移動して、元の座標位置に戻ってくるような移動がもっとも好ましい。図６に、その場合の、表示画像の座標位置の移動例を示す。
【００７３】
図６では、表示画像の座標位置は、黒丸で示す座標（1，1）から移動を開始し、一筆書きのように移動して、再度黒丸で示す座標（1，1）に戻ってくる、という移動動作を繰り返す。
【００７４】
ここで、本発明の表示装置の焼付防止装置を使用した場合の、画面の焼付防止効果について、説明する。
【００７５】
図７(ａ)に示すような画像データを移動させる場合について、ピクセル単位で移動させる従来の方法による焼付き程度と、サブピクセル単位で移動させる本発明の方法による焼付き程度を比較して説明する。
【００７６】
図７(ａ)は、座標ｈの位置に輝度値２５５の縦線があり、それ以外の座標の輝度値は全て０である。この座標（ｈ，ｖ）の画像データを、図７(ａ)に示すＨ方向に移動させる場合について考える。図７（ｂ）および図７（ｃ）は、それぞれ、ピクセル単位で移動させる場合およびサブピクセル単位で移動させる場合についての、１ピクセル移動させたときの経過時間に対する座標（ｈ，ｖ）の輝度の変化を示している。なお、図７（ｃ）は、輝度補間演算として実施の形態１の２点線形補間を用いた場合の輝度の変化を示している。
【００７７】
ここで、焼付き程度は、(26)式で評価できるものとする。
【００７８】
焼付き程度＝（輝度しきい値Ｂｔｈを越えた分の輝度×輝度が輝度しきい値Ｂｔｈを越えた時間）の平均    ……………(26)
図７（ｂ）のピクセル単位で移動させる場合の、時間Ｔで１ピクセル移動させたときの焼付き程度は、(27)式となる。
【００７９】
焼付き程度＝（２５５−Ｂｔｈ）／２                …(27)
一方、図７（ｃ）のサブピクセル単位で移動させる場合の、時間Ｔで１ピクセル移動させたときの焼付き程度は、(28)式となり、(29)式が得られる。
【００８０】
焼付き程度＝（２５５−Ｂｔｈ）２／（２５５×２）    …(28)
(28)式／(27)式＝（２５５−Ｂｔｈ）／２５５  ＜１    …(29)
つまり、サブピクセル単位で移動させる場合の方がピクセル単位で移動させる場合よりも焼付き防止の効果が大きいといえる。
【００８１】
また、焼付き程度を、(26)式の関係ではなく、Ｔｔｈ以上の連続時間、輝度がＢｔｈを越えた場合に発生するものとした場合でも、図２（ｂ）と図２（ｃ）の比較から明らかなように、サブピクセル単位で移動させる場合の方がピクセル単位で移動させる場合よりも焼付き防止の効果が大きいといえる。
【００８２】
次に、本発明の表示装置の焼付防止装置を使用した場合の、画面の焼付程度の均一化について説明する。
【００８３】
図８(ａ)に示すような画像データを移動させる場合について、画面の焼付き境界部分における、ピクセル単位で移動させる従来の方法による焼付き程度と、サブピクセル単位で移動させる本発明の方法による焼付き程度を比較して説明する。
【００８４】
図８(ａ)は、座標ｈからｈ＋Δｈの位置に輝度値２５５の縦線があり、それ以外の座標の輝度値は全て０である。この画像データを図８(ａ)に示すＨ方向に移動させる場合について考える。
【００８５】
図８（ｂ）および図８（ｃ）は、従来の方法のピクセル単位で移動させる場合の、２ピクセル移動させたときの座標（ｈ，ｖ）および座標（ｈ＋１，ｖ）の、それぞれについての経過時間に対する輝度の変化を示している。また、図８（ｄ）および図８（ｅ）は、本発明によるサブピクセル単位で移動させる場合の、２ピクセル移動させたときの座標（ｈ，ｖ）および座標（ｈ＋１，ｖ）の、それぞれについての経過時間に対する輝度の変化を示している。なお、図８（ｄ）および図８（ｅ）は、輝度補間演算として実施の形態１の２点線形補間を用いた場合の輝度の変化を示している。
【００８６】
焼付き程度が(26)式で評価できるものとすると、時間Ｔで１ピクセル移動させたときの図７（ｂ）の座標（ｈ，ｖ）、図７（ｃ）の座標（ｈ＋１，ｖ）における焼付き程度は、それぞれ、(30)式、(31)式となる。
【００８７】
焼付き程度＝（２５５−Ｂｔｈ）／４              …(30)
焼付き程度＝（２５５−Ｂｔｈ）×３／４          …(31)
同様に、時間Ｔで１ピクセル移動させたときの図７（ｄ）の座標（ｈ，ｖ）、図７（ｅ）の座標（ｈ＋１，ｖ）における焼付き程度は、それぞれ、(32)式、(33)式となる。
【００８８】
焼付き程度＝（２５５−Ｂｔｈ）２／（２５５×４）  …(32)
焼付き程度＝（２５５−Ｂｔｈ）２／（２５５×４）
＋（２５５−Ｂｔｈ）×２／４      …(33)
図９は、図８（ａ）に示した画像を移動させた場合の、座標位置と焼付き程度の関係を示した図である。
【００８９】
図９より、サブピクセル単位で移動させる本発明の場合は、移動なしの場合に比較して、焼付き境界近傍でブロードに広がり目立ちにくいことがわかる。また、サブピクセル単位で移動させる本発明の場合は、従来のピクセル単位で移動させる場合に比較して、焼付き境界近傍でゆるやかに広がり目立ちにくいことがわかる。つまり、本発明の表示装置の焼付防止装置を使用することにより、焼付き境界近傍で焼付き程度を均一化でき、目立ちにくくすることができる。
【００９０】
なお、各実施の形態では、画像データ生成部１６で実在する表示画素のピクセル値を求める補間方法として線形補間を用いたが、これ以外の補間方法を用いて実在する表示画素のピクセル値を求めてもよい。たとえば、バイキュービック補間を用いて実在する表示画素のピクセル値を求めてもよい。
【００９１】
なお、各実施の形態では、サブピクセル単位での平行移動を例として挙げたが、サブピクセル単位での拡大・縮小を繰り返してもよい。
【００９２】
このように、本発明の表示装置の焼付防止装置では、一定時間毎に表示している画像の位置を移動させるので、画面の焼付きを防止できる。それとともに、サブピクセル単位の見た目に気づかない単位で一定時間毎に移動させることにより、表示している内容が移動していることを気づかせず、焼付き防止を実現する。そして、その防止程度が全表示画素位置でより確実に均等化され、表示装置全体としてその耐久性が飛躍的に向上する。
【００９３】
なお、本発明は、プラズマディスプレイなどの表示装置に適用されて、特に有効である。
【図面の簡単な説明】
【００９４】
【図１】本発明の各実施の形態における表示装置の焼付防止装置の機器構成ブロック図
【図２】本発明の実施の形態１の画像データ生成部の処理説明図
【図３】本発明の実施の形態２の画像データ生成部の処理説明図
【図４】本発明の実施の形態３の画像データ生成部の処理説明図
【図５】本発明の実施の形態３の表示画像の位置の移動動作を示す図
【図６】本発明の実施の形態３の表示画像の位置の移動動作を示す図
【図７】本発明による画面の焼付防止効果を説明する図
【図８】本発明による画面の焼付程度の均一化の効果を説明する図
【図９】図８の画像を移動させた場合の、座標位置と焼付き程度の関係を示す図
【符号の説明】
【００９５】
１１  移動量設定部
１２  移動時間設定部
１３  映像入力信号
１４  同期信号分離部
１５  タイマー部
１６  画像データ生成部
１７  映像出力信号
【図１】
2005107132.tif 000003
【図２】
2005107132.tif 000004
【図３】
2005107132.tif 000005
【図４】
2005107132.tif 000006
【図５】
2005107132.tif 000007
【図６】
2005107132.tif 000008
【図７】
2005107132.tif 000009
【図８】
2005107132.tif 000010
【図９】
2005107132.tif 000011